(57)【特許請求の範囲】
【請求項１】
給水源から供給された水を吐水する吐水口および該吐水口からの吐止水を操作する操作手段を有する吐水ヘッドと、
前記吐水ヘッドと前記給水源とを連通している流路と、
前記吐水ヘッドの上流側に設けられ、前記流路を開閉する開閉弁と、
前記開閉弁と前記吐水ヘッドとの間に設けられ、空気吸入口から空気を吸入することで前記吐水口からの逆流を防止するバキュームブレーカーと、を備え、
前記開閉弁と前記操作手段とが、前記操作手段への操作を開閉弁に伝達する開閉弁制御手段によって接続され、
前記開閉弁制御手段は、前記操作手段への押圧操作による操作力を前記開閉弁へと伝達する開閉弁制御ワイヤーであり、
前記開閉弁と前記空気吸入口との間に通気路が形成されており、
前記開閉弁制御ワイヤーが、前記流路内および前記通気路内に挿通されていると共に前記操作手段と前記開閉弁とを接続していることを特徴とする水栓装置。
【請求項２】
前記開閉弁制御手段が、前記操作手段への押圧操作による操作力を前記開閉弁へと伝達する開閉弁制御ワイヤーであることを特徴とする請求項１に記載の水栓装置。
【請求項３】
前記吐水ヘッドを掛止する吐水ヘッド固定部材を更に備えており、
前記吐水ヘッドを前記吐水ヘッド固定部材に掛止した際に前記吐水口が、前記空気吸入口より下方に位置していることを特徴とする請求項１乃至請求項２のいずれか１項に記載の水栓装置。
【請求項４】
請求項１乃至請求項３のいずれか１項に記載された水栓装置と大便器を備えたトイレシステムであって、
前記水栓装置の空気吸入口が、前記大便器の溢れ面より上方に位置していることを特徴とするトイレシステム。
【請求項５】
請求項１乃至請求項３のいずれか１項に記載された水栓装置と汚物流しを備えた汚物流しユニットであって、
前記水栓装置の空気吸入口が、前記汚物流しの溢れ面より上方に位置していることを特徴とする汚物流しユニット。
【発明の詳細な説明】
【技術分野】
【０００１】
本発明は、水を吐水する吐水口および該吐水口からの吐止水を切り替える操作手段を有する吐水ヘッドと、この吐水ヘッドと別体の開閉弁とを備えた水栓装置、トイレシステムおよび汚物流しユニットに関する。
【背景技術】
【０００２】
近年、直腸や膀胱に機能的障害を有するために人工肛門や人工膀胱を装着した人（以下、オストメイト）が排泄できるような施設（多目的トイレ）を設置することが要望されている。
例えば、オストメイトが使用するために適した多目的トイレに重要な要素として、便などの排泄物が円滑に流せるようにすることと、ストーマ（腹部に造設された排泄口）や排泄物を溜めるパウチ、あるいはストーマ付近の腹部を温水で洗浄できることの２点が挙げられている。
【０００３】
こうした条件に適合するために、専用の汚物流し設備を大便器とは別に多目的トイレ室内に設置することが行われている。
従来の一般的な汚物流し設備は、水栓装置を大便器や汚物流しに隣接して備えている。
オストメイトはパウチ等に溜まった排泄物を吐水部材によって大便器や汚物流しに流し、その後、水栓装置から流れ出る水でパウチ等などを洗浄する。
【０００４】
このような使用状況においては、手元で水栓装置からの吐止水を制御できることが望ましく、水を吐水する吐水口および該吐水口からの吐止水を切り替える操作手段を有するシャワーヘッド（たとえば、特許文献１。）を備える水栓装置を使用していた。
【０００５】
そして、上述した汚物流しの使用環境を鑑み、特許文献１に記載されているような水栓装置を汚物流しに用いる際には、シャワーヘッドを誤って大便器や汚物流しに落としたとしても、大便器や汚物流し内の溜水が水栓装置の上流の給水源に逆流することを防止するために（逆流防止機能を果たすために）、正方向の流れのときに弁体を開放し、逆方向の流れが発生したときには液体の背圧を受けて弁体を閉じる逆流防止弁（開閉弁）を途中に設けている。
【先行技術文献】
【特許文献】
【０００６】
【特許文献１】特開２００７−７０２６号公報
【発明の概要】
【発明が解決しようとする課題】
【０００７】
しかしながら、上述した逆流防止弁においては、逆流防止弁内に異物が混入した状態で負圧による逆流が起こったときに、弁体内の流路が異物により完全に閉じられないため、逆流防止機能が低下するおそれがあった。
【０００８】
そこで、本発明は、前述したような従来技術の問題を解決するものであって、すなわち、本発明の目的は、開閉弁内に異物が混入したとしても、負圧に起因する逆流防止機能の低下を抑制する水栓装置を提供することである。
【課題を解決するための手段】
【０００９】
本請求項１に係る発明は、給水源から供給された水を吐水する吐水口および該吐水口からの吐止水を操作する操作手段を有する吐水ヘッドと、前記吐水ヘッドと前記給水源とを連通している流路とを備え、前記流路が、前記流路を開閉する開閉弁と、該開閉弁と前記吐水ヘッドとの間に空気吸入口を有し前記吐水口からの逆流を防止するバキュームブレーカーとを備え、前記開閉弁と前記操作手段とが、前記操作手段への操作を開閉弁に伝達する開閉弁制御手段によって接続されていることにより、前述した課題を解決するものである。
【００１０】
本発明の水栓装置は、吐水口からの逆流を防止するバキュームブレーカーが、開閉弁と吐水ヘッドとの間に設けられていることにより、吐水口から開閉弁までの空間に発生した負圧を破壊するため、負圧に起因する吐水口からの汚水等の逆流を抑制することができる。
加えて、バキュームブレーカーが空気吸入口を有していることにより、開閉弁内に異物が混入したとしても逆流防止機能の低下を抑制することができる。
【００１１】
また、バキュームブレーカーを開閉弁と吐水口の間に設けることによって、開閉弁と吐水ヘッドとの距離が離れてしまい、操作性が低下してしまう。
そこで、開閉弁と操作手段とが、開閉弁の動作を制御する開閉弁制御手段によって接続されていることにより、操作手段への操作が開閉弁制御手段を介して開閉弁に伝達されるため、吐水ヘッドから離れた位置にある開閉弁を手元で操作することができる。
【００１２】
本請求項２に係る発明は、請求項１に記載された水栓装置の構成に加えて、前記開閉弁制御手段が、前記操作手段への押圧操作による操作力を前記開閉弁へと伝達する開閉弁制御ワイヤーであることにより、前述した課題を解決するものである。
【００１３】
本請求項２に係る発明の水栓装置によれば、請求項１に係る発明が奏する効果に加えて、開閉弁制御手段が、操作手段への押圧操作による操作力を開閉弁へと伝達する開閉弁制御ワイヤーであることにより、操作手段への押圧による操作力が開閉弁制御ワイヤーによって開閉弁に伝達されるため、電気的に開閉することに比べて簡便な構造で開閉弁を開閉することができる。
なお、ここでいう「操作力を伝達する」という表現は、物理的な力の伝播を意味しており、電気信号等の信号の伝播を含まない。
【００１４】
本請求項３に係る発明は、請求項２に記載された水栓装置の構成に加えて、前記開閉弁と前記空気吸入口との間に通気路が形成されており、前記開閉弁制御ワイヤーが、前記流路内および前記通気路内に挿通されていると共に前記操作手段と前記開閉弁とを接続していることにより、前述した課題を解決するものである。
【００１５】
本請求項３に係る発明の水栓装置によれば、請求項２に係る発明が奏する効果に加えて、開閉弁制御ワイヤーが、流路内および通気路内に挿通されていると共に操作手段と開閉弁とを接続していることにより、流路内および通気路内が開閉弁制御ワイヤー経路となるため、開閉弁制御ワイヤー経路を別途設ける必要がなくなり、簡便な構造で操作手段と開閉弁とを接続することができる。
【００１６】
本請求項４に係る発明は、請求項１乃至請求項３のいずれか１項に記載された水栓装置の構成に加えて、前記吐水ヘッドを掛止する吐水ヘッド固定部材を更に備えており、前記吐水ヘッドを前記吐水ヘッド固定部材に掛止した際に前記吐水口が、前記空気吸入口より下方に位置していることにより、前述した課題を解決するものである。
【００１７】
本請求項４に係る発明の水栓装置によれば、請求項１乃至請求項３のいずれか１項に係る発明が奏する効果に加えて、吐水ヘッドが吐水ヘッド固定部材に掛止された際に吐水口が、空気吸入口より下方に位置していることにより、空気吸入口の水頭圧が吐水口の水頭圧より高いため、吐水ヘッドから開閉弁への汚水の逆流を抑制することができる。
【００１８】
本請求項５に係る発明は、請求項１乃至請求項４のいずれか１項に記載された水栓装置と大便器を備えたトイレシステムであって、前記水栓装置の空気吸入口が、前記大便器の溢れ面より上方に位置していることにより、前述した課題を解決するものである。
【００１９】
本請求項５に係る発明のトイレシステムによれば、請求項１乃至請求項４のいずれか１項に記載された水栓装置の空気吸入口が、大便器の溢れ面より上方に位置していることにより、請求項１乃至請求項４のいずれか１つに係る発明が奏する効果と同様の効果に加えて、大便器内に吐水ヘッドを落としたとしても、大便器内の溜水が開閉弁へ逆流することを確実に抑制することができる。
【００２０】
本請求項６に係る発明は、請求項１乃至請求項４のいずれか１項に記載された水栓装置と汚物流しを備えた汚物流しユニットであって、前記水栓装置の空気吸入口が、前記汚物流しの溢れ面より上方に位置していることにより、前述した課題を解決するものである。
【００２１】
本請求項６に係る発明の汚物流しユニットによれば、請求項１乃至請求項４のいずれか１項に記載された水栓装置の空気吸入口が、汚物流しの溢れ面より上方に位置していることにより、汚物流し内に吐水ヘッドを落としたとしても、汚物流し内の溜水が開閉弁へ逆流することを確実に抑制することができる。
【発明の効果】
【００２２】
本発明により、開閉弁内に異物が混入したとしても、負圧に起因する逆流防止機能の低下を抑制することができる。
【図面の簡単な説明】
【００２３】
【図１】本発明の実施形態のトイレシステムを表す正面図。
【図２】トイレシステムの左側面図。
【図３】水栓装置の外観斜視図。
【図４】水栓装置の流路構成図。
【図５】吐水ヘッドの断面図。
【図６】止水時の機能部の断面図。
【図７】止水時において異物が開閉弁に混入した際の断面図。
【図８】吐水時の機能部の断面図。
【図９】本発明の実施形態の水栓装置を汚物流しユニットに適用した際の正面図。
【発明を実施するための形態】
【００２４】
＜実施形態＞
以下に、本発明の実施形態であるトイレシステムについて、図１乃至図８に基づいて説明する。
【００２５】
＜１．  トイレシステムの概要＞
図１は本発明の実施形態のトイレシステムＴＳの正面図である。
【００２６】
トイレシステムＴＳは、大便器Ｔおよび大便器Ｔの左方に水栓装置１００を備えている。
【００２７】
図２はトイレシステムＴＳの左側面図である。
大便器Ｔおよび水栓装置１００は、壁面Ｗに据え付けられている。
【００２８】
オストメイトは、この水栓装置１００を利用して、大便器Ｔに便などの排泄物を流したり、ストーマ（腹部に造設された排泄口）や排泄物を溜めるパウチ、あるいはストーマ付近の腹部を洗浄したりしている。
また、バケツや、尿瓶などを洗う場合にもこの水栓装置１００が用いられる。
【００２９】
＜２．  水栓装置の構造＞
続いて、図３乃至図６を用いて、水栓装置１００の構造について説明する。
【００３０】
図３は水栓装置１００の外観斜視図であり、水栓装置１００は、使用者が把持する吐水ヘッド１１０と、円筒形状の機能部Ｆと、機能部Ｆから吐水ヘッド１１０までを連通し可撓性を有するホースＨとを備えている。
【００３１】
また、吐水ヘッド１１０は、機能部Ｆに取り付けられた吐水ヘッド固定部材１５０に掛止されている。
吐水ヘッド固定部材１５０は、機能部Ｆに取り付ける取付部１５１と、この取付部１５１から下方に延びる下垂部１５２と、この下垂部１５２の先端に設けられ吐水ヘッド１１０が掛止される吐水ヘッド掛止部１５３とを備えている。
【００３２】
図４は水栓装置１００の流路構成図であり、機能部Ｆは、給水源Ｓから吐水ヘッド１１０までの流路を開閉する開閉弁１２０および外部から空気を吸入して負圧を破壊するバキュームブレーカー１３０を有している。
そして、給水源Ｓから供給された水は流路Ｃを通って開閉弁１２０に流入し、次いでバキュームブレーカー１３０を経て、ホースＨ内の流路Ｃを通り、吐水ヘッド１１０の吐水口１１１から吐水される。
【００３３】
＜２．１．  吐水ヘッドの構造＞
続いて、吐水ヘッド１１０の構造を吐水ヘッド１１０の断面図である図５を用いて説明する。
【００３４】
図５（ａ）に示すように、吐水ヘッド１１０は、給水源Ｓから供給された水を吐水する吐水口１１１と、吐水口１１１からの吐止水を操作する操作手段である操作スイッチ１１２と、使用者が把持する把持部１１３とを備えている。
【００３５】
吐水口１１１の形状は円形であり、図５（ｂ）に示すように吐水口１１１内には止水時に吐水口１１１を閉止し吐水時に吐水口１１１の閉止を解除する吐水弁１１４が設けられている。
この機構により、止水後に吐水ヘッド１１０内部に残留した水が、吐水口１１１から漏れることを抑制することができる。
【００３６】
吐水弁１１４は、吐水弁ハウジング１１４ａと、吐水弁ハウジング１１４ａ内部に可動弁１１４ｂと、吐水弁ハウジング１１４ａと可動弁１１４ｂの間に設けられ可動弁１１４ｂの可動方向を規制するバネ１１４ｃと、可動弁１１４ａに外挿されたＯリング１１４ｄとを備えている。
【００３７】
操作スイッチ１１２は、本実施形態においては押しボタン式のスイッチであり、開閉弁制御手段である開閉弁制御ワイヤー１４０と接続されている。
そして、使用者が操作スイッチ１１２を押圧操作することにより、開閉弁制御ワイヤー１４０が開閉弁１２０へと操作力を伝達する。
なお、開閉弁制御ワイヤー１４０としては、遠隔排水栓などに利用されるリレースワイヤーなどがある。
【００３８】
把持部１１３は、使用者によって把持され、端部にはホースＨが接続されている。
そして、把持部１１３内部およびホースＨの内部が流路Ｃの一部を形成している。
【００３９】
また、開閉弁制御ワイヤー１４０は、流路Ｃ（把持部１１３内およびホースＨの内部）に設けられている。
【００４０】
＜２．２．  機能部の構造＞
続いて、機能部Ｆの構造を止水時の機能部Ｆの断面図である図６を用いて説明する。
【００４１】
機能部Ｆは前述のように、上流側に開閉弁１２０を、開閉弁１２０の下流にバキュームブレーカー１３０を備えている。
【００４２】
＜２．２．１．  開閉弁の構造＞
開閉弁１２０は、上流側の一端が給水源Ｓと接続され、下流側の他端がバキュームブレーカー１３０と接続されている。
また、開閉弁１２０は、開閉弁制御ワイヤー１４０によってバキュームブレーカー１３０を介して操作スイッチ１１２（図５参照）と接続されており、この操作スイッチ１１２の押圧操作による操作力を開閉弁制御ワイヤー１４０が開閉弁１２０へと伝達することによって開閉される。
【００４３】
そして、開閉弁１２０は、開閉弁ハウジング１２１と、開閉弁ハウジング１２１に固定されるように開閉弁１２０の上流側に設けられた不動部１２２と、不動部１２２の外周面を摺動する可動部１２３とを備えている。
可動部１２３は、内部に不動部１２２および可動部１２３と当接するバネ１２３ａと、外周に環状の閉塞部材１２３ｂとを備えている。
【００４４】
また、開閉弁ハウジング１２１と可動部１２３との間に形成される開閉弁内流路１２４も流路Ｃの一部を構成している。
【００４５】
＜２．２．２．  バキュームブレーカーの構造＞
バキュームブレーカー１３０は、上流側の一端が開閉弁１２０と接続され、下流側の他端がホースＨと接続されている。
【００４６】
バキュームブレーカー１３０は、その外観を形成するバキュームブレーカーハウジング１３１と、このバキュームブレーカーハウジング１３１内部に設けられると共に開閉弁１２０と連通する通水管１３２とを備えている。
そして、バキュームブレーカーハウジング１３１と通水管１３２との間に通水路１３３が形成されている。
【００４７】
通水管１３２は、お椀形状の通水管外壁部１３２ａと、通水管外壁部１３２ａ上に設けられたリブ（図示されない）に載置されることで通水管外壁部１３２ａと隙間をあけて対向している略筒状の通水管内壁部１３２ｂとを備えている。
これにより通水管１３２は、通水管外壁部１３２ａと通水管内壁部１３２ｂとからなる第一流路１３２ｃと、通水管内壁部１３２ｂ内部に第二流路（通気路）１３２ｄとを形成している。
なお、第一流路１３２ｃおよび第二流路１３２ｄも流路Ｃの一部を構成する。
また、通水管外壁部１３２ａの底部には、開閉弁制御ワイヤー１４０の先端に取り付けられた押込棒１４１が第二流路１３２ｄに向けて貫挿されている。
【００４８】
さらに、通水管内壁部１３２ｂには環状のパッキン部材１３４が外挿されており、このパッキン部材１３４は第一流路１３２ｃの下流側の出口に載置されている。
パッキン部材１３４は、第一流路１３２ｃの出口と自重によって当接する環状のパッキンガイド１３４ａと、このパッキンガイド１３４ａに載置される環状のパッキン１３４ｂとを備えている。
【００４９】
また、バキュームブレーカー１３０は、パッキン１３４ｂの上方にパッキン１３４ｂがバキュームブレーカーハウジング１３１と当接する面（パッキン当接面ＳＰ）に空気吸入口１３５を備えている。
そして、この空気吸入口１３５とバキュームブレーカー１３０の外部とは空気吸入路１３６によって連結されている。
【００５０】
また、パッキン当接面ＳＰ（すなわち、空気吸入口１３５）は、吐水ヘッド１１０を吐水ヘッド固定部材１５０に掛止した際に吐水口１１１より上方に位置しているように、高さ位置が設定されている（図２参照。）。
さらに、パッキン当接面ＳＰ（すなわち、空気吸入口１３５）は、大便器Ｔの溢れ面ＯＦより上方に位置している（図２参照。）。
【００５１】
＜３．  水栓装置の態様＞
続いて、本水栓装置の態様について、図４乃至図８を用いて説明する。
【００５２】
＜３．１．  止水時＞
まず、止水時の態様について、図４乃至図７を用いて説明する。
【００５３】
図５に示すように、吐水ヘッド１１０において、バネ１１４ｃの弾性により吐水弁１１４がＯリング１１４ｄを吐水ヘッド１１０に向けて押し付けるため、吐水口１１１が閉止される。
ここで、バネ１１４ｃの弾性力が止水時の流路Ｃ内の水圧より高くなっており、これにより止水時の流路Ｃ内の水圧による吐水口１１１からの残水漏洩を抑制できる。
【００５４】
次に、機能部Ｆについて説明する。
図６に示すように、開閉弁１２０において、バネ１２３ａの弾性により可動部１２３の閉塞部材１２３ｂが開閉弁ハウジング１２１と当接している。
これにより、開閉弁内流路１２４が閉止され、給水源Ｓ（図４参照。）から供給される水は開閉弁１２０内に留まっている。
【００５５】
また、バキュームブレーカー１３０については、パッキン部材１３４が自重によって第一流路１３２ｃの出口と当接している。
よって、空気吸入路１３６が通水路１３３と連通しており、空気吸入口１３５から通水路１３３内に取り入れられた空気は、バキュームブレーカー１３０より下流に行き渡っている。
【００５６】
ここで、開閉弁１２０内に異物Ｄが混入した場合について、開閉弁１２０内に異物Ｄが混入した状態の機能部Ｆの断面図である図７を用いて説明する。
開閉弁１２０内に異物Ｄが混入すると、開閉弁１２０内の開閉弁内流路１２４が異物により閉塞部材１２３ｂが開閉弁ハウジング１２１と当接されず、完全に閉止されない。
このような状況でバキュームブレーカー１３０より上流側で負圧が生じた場合、開閉弁１２０と吐水ヘッド１１０の間にも負圧が生じる（開閉弁１２０と吐水ヘッド１１０との関係は、図４参照。）。
【００５７】
このとき、開閉弁１２０と吐水ヘッド１１０の間に生じた負圧によって、空気吸入路１３６を介して外部から空気を取り込む。
そして空気吸入路１３６を介して外部から取り込まれた空気は、空気吸入口１３５、第一流路１３２ｃおよび第二流路１３２ｄを通り、開閉弁１２０へと流入する。
すなわち、第二流路１３２ｄは通気路としても機能する。
以上により、吐水ヘッド１１０の吐水口１１１から水が逆流することはない。
【００５８】
＜３．２．  吐水時＞
続いて、吐水時の態様について、図４、図５、吐水時の機能部Ｆの断面図である図８を用いて説明する。
【００５９】
図５に示すように、吐水ヘッド１１０において、吐水時には使用者が操作スイッチ１１２を押圧し、この押圧操作が開閉弁制御ワイヤー１４０を介して開閉弁１２０に伝達される（吐水ヘッド１１０と開閉弁１２０との関係は、図４参照。）。
これにより、後述するように開閉弁１２０が開き、吐水ヘッド１１０内部が水で満たされる。
このときの吐水ヘッド１１０内の水圧により吐水弁１１４内の可動弁１１４ｂが動き、Ｏリング１１４ｄと吐水ヘッド１１０内との間に隙間が形成されることで、吐水口１１１から水が吐水される。
【００６０】
次に、機能部Ｆについて説明する。
図８に示すように、開閉弁１２０において、前述の使用者による操作スイッチ１１２への押圧操作に応じて、開閉弁制御ワイヤー１４０の先端に設けられた押込棒１４１によって、可動部１２３に変位が加わる。
これにより、可動部１２３が不動部１２２に沿って摺動し、閉塞部材１２３ｂが開閉弁ハウジング１２１と離間する。
そして、給水源Ｓから開閉弁１２０に流入した水は、不動部１２２および可動部１２３の外周の開閉弁内流路１２４を通過し、下流側、すなわちバキュームブレーカー１３０に向かって流出する。
【００６１】
また、バキュームブレーカー１３０については、開閉弁１２０が開放されていることにより、開閉弁１２０から第二流路１３２ｄに水が浸入し、第一流路１３２ｃに流入する。
その後、通水路１３３を通り、バキュームブレーカー１３０の下流側に接続されたホースＨに水が流入し、吐水ヘッド１１０へと水を供給する（吐水ヘッド１１０とバキュームブレーカー１３０との関係は、図４参照。）。
【００６２】
なお、このときの第一流路１３２ｃの出口の水圧により、パッキン部材１３４のパッキン１３４ｂがパッキン当接面ＳＰに当接することで空気吸入口１３５を閉止する。
【００６３】
＜４．  本実施形態の効果＞
このようにして得られた本実施形態の水栓装置１００は、吐水口１１１からの逆流を防止するバキュームブレーカー１３０が、開閉弁１２０と吐水ヘッド１１０との間に設けられていることにより、吐水口１１１から開閉弁１２０までの空間に発生した負圧を破壊するため、負圧に起因する吐水口１１１からの汚水等の逆流を抑制することができる。
加えて、バキュームブレーカー１３０が空気吸入口１３５を有していることにより、空気吸入口１３５が開閉弁１２０と独立するため、開閉弁１２０内に異物Ｄが混入したとしても逆流防止機能の低下を抑制することができる。
【００６４】
また、開閉弁１２０と操作手段である操作スイッチ１１２とが、開閉弁１２０の動作を制御する開閉弁制御手段である開閉弁制御ワイヤー１４０によって接続されていることにより、操作スイッチ１１２への操作が開閉弁制御ワイヤー１４０を介して開閉弁１２０に伝達されるため、吐水ヘッド１１０から離れた位置にある開閉弁１２０を手元で操作することができる。
【００６５】
さらに、開閉弁制御ワイヤー１４０が、操作スイッチ１１２への押圧操作による操作力を開閉弁１２０へと伝達することにより、操作スイッチ１１２への押圧による操作力が開閉弁制御ワイヤー１４０によって開閉弁１２０に伝達されるため、電気的に開閉することに比べて簡便な構造で開閉弁１２０を開閉することができる。
【００６６】
また、開閉弁制御ワイヤー１４０が、流路Ｃ内および通気路である第二流路１３２ｄ内に挿通されていると共に操作スイッチ１１２と開閉弁１２０とを接続していることにより、流路Ｃ内および第二流路１３２ｄ内が開閉弁制御ワイヤー経路となるため、開閉弁制御ワイヤー経路を別途設ける必要がなくなり、簡便な構造で操作スイッチ１１２と開閉弁１２０とを接続することができる。
【００６７】
また、吐水ヘッド１１０が吐水ヘッド固定部材１５０に掛止された際に吐水口１１１が、空気吸入口１３５より下方に位置していることにより、空気吸入口１３５の水頭圧が吐水口１１１の水頭圧より高いため、吐水ヘッド１１０から開閉弁１２０への汚水の逆流を抑制することができる。
【００６８】
さらに、水栓装置１００の空気吸入口１３５が、大便器Ｔの溢れ面ＯＦより上方に位置していることにより、大便器Ｔ内に吐水ヘッド１１０を落としたとしても、大便器Ｔ内の溜水が開閉弁１２０へ逆流することを確実に抑制することができる。
【００６９】
＜５．  変形例＞
以上、本発明を実施するための形態について説明したが、本発明は上記に限定されるものではない。
本発明は、給水源から供給された水を吐水する吐水口および該吐水口からの吐止水を操作する操作手段を有する吐水ヘッドと、前記吐水ヘッドと前記給水源とを連通している流路とを備え、前記流路が、前記流路を開閉する開閉弁と、該開閉弁と前記吐水ヘッドとの間に空気吸入口を有し前記吐水口からの逆流を防止するバキュームブレーカーとを備え、前記開閉弁と前記操作手段とが、前記操作手段への操作を開閉弁に伝達する開閉弁制御手段によって接続されている水栓装置であり、開閉弁内に異物が混入したとしても、負圧に起因する逆流防止機能の低下を抑制することができるものであれば、その具体的な実施態様は、如何なるものであっても構わない。
【００７０】
例えば、本実施形態において開閉弁制御ワイヤーを物理的に変形させて開閉弁を開閉していたが、例えば開閉弁を電磁弁として、開閉弁制御ワイヤーを電気信号線として用いて開閉弁を開閉させてもよい。
さらに、開閉弁制御ワイヤーが流路内を通らず、流路外（すなわちホース外）であってもよい。
【００７１】
また、そもそも開閉弁制御ワイヤーを備えず、操作スイッチと開閉弁とを電波によって接続し、操作スイッチの押圧に応じた電波を開閉弁に向かって送信して、開閉弁を開閉するものであってもよい。
【００７２】
さらに、本発明は、水栓装置と大便器を備えたトイレシステムであって、前記水栓装置の空気吸入口が、前記大便器の溢れ面より上方に位置しているものであり、大便器内に吐水ヘッドを落としたとしても、大便器内の溜水が開閉弁へ逆流することを確実に抑制するものであれば、その具体的な実施態様は、如何なるものであっても構わない。
【００７３】
また、本発明の実施形態の一要素である水栓装置は、トイレシステムにのみ用いられるものではない。
例えば、本発明の実施形態の一要素である水栓装置は、汚物流しユニットの一要素として用いることができる。
図９は、本発明の水栓装置１００を用いた汚物流しユニットＬＵを表す正面図である。
汚物流しユニットＬＵは、壁面Ｗに据え付けられた汚物流しＬと、汚物流しＬの左方で壁面Ｗに据え付けられた水栓装置１００とを備えている。
【００７４】
このような汚物流しユニットＬＵにおいても、水栓装置１００のパッキン当接面ＳＰ（すなわち、空気吸入口１３５）は、汚物流しＬの溢れ面ＯＦより上方に位置していることが望ましい。
水栓装置１００の空気吸入口１３５は、汚物流しＬの溢れ面ＯＦより上方に位置していることにより、汚物流しＬ内に吐水ヘッド１１０を落としたとしても、汚物流しＬ内の溜水が開閉弁１２０へ逆流することを確実に抑制することができる。
【００７５】
また、前述した実施形態が備える各要素は、技術的に可能である限り組み合わせることができ、これらを組み合わせたものも本発明の特徴を含む限り本発明の範囲に包含される。
【符号の説明】
【００７６】
１００  ・・・  水栓装置
１１０  ・・・  吐水ヘッド
１１１  ・・・  吐水口
１１２  ・・・  操作スイッチ（操作手段）
１１３  ・・・  把持部
１１４  ・・・  吐水弁
１１４ａ・・・  吐水弁ハウジング
１１４ｂ・・・  可動弁
１１４ｃ・・・  バネ
１１４ｄ・・・  Ｏリング
１２０  ・・・  開閉弁
１２１  ・・・  開閉弁ハウジング
１２２  ・・・  不動部
１２３  ・・・  可動部
１２３ａ・・・  バネ
１２３ｂ・・・  閉塞部材
１２４  ・・・  開閉弁内流路
１３０  ・・・  バキュームブレーカー
１３１  ・・・  バキュームブレーカーハウジング
１３２  ・・・  通水管
１３２ａ・・・  通水管外壁部
１３２ｂ・・・  通水管内壁部
１３２ｃ・・・  第一流路
１３２ｄ・・・  第二流路（通気路）
１３３  ・・・  通水路
１３４  ・・・  パッキン部材
１３４ａ・・・  パッキンガイド
１３４ｂ・・・  パッキン
１３５  ・・・  空気吸入口
１３６  ・・・  空気吸入路
１４０  ・・・  ワイヤー（開閉弁制御手段）
１４１  ・・・  押込棒
１５０  ・・・  吐水ヘッド固定部材
１５１  ・・・  取付部
１５２  ・・・  下垂部
１５３  ・・・  吐水ヘッド掛止部
Ｃ    ・・・  流路
Ｄ    ・・・  異物
Ｆ    ・・・  機能部
Ｈ    ・・・  ホース
Ｓ    ・・・  給水源
ＳＰ  ・・・  パッキン当接面
Ｗ    ・・・  壁面
Ｔ    ・・・  大便器
ＴＳ  ・・・  トイレシステム
Ｌ    ・・・  汚物流し
ＬＵ  ・・・  汚物流しユニット
ＯＦ  ・・・  溢れ面
【図１】
0006459140.tif 000002
【図２】
0006459140.tif 000003
【図３】
0006459140.tif 000004
【図４】
0006459140.tif 000005
【図５】
0006459140.tif 000006
【図６】
0006459140.tif 000007
【図７】
0006459140.tif 000008
【図８】
0006459140.tif 000009
【図９】
0006459140.tif 000010